(57)【要約】      （修正有）【課題】電源供給源の電圧変動に応じて音質が変化することを抑制可能な「音質調整装置」を提供する。【解決手段】オーディオ再生回路に供給される電源の電圧Ｖｒを平滑にするコンデンサ２に対して並列に設けられた可変抵抗器からなる抵抗１と、電源の電源供給源であるバッテリのバッテリ電圧Ｂに応じて、抵抗１の抵抗値を調整するマイコン２０とを備える。またマイコン２０は、さらに例えば抵抗１の抵抗値を調整するための操作手段に対して行われた操作に応じて抵抗１の抵抗値を調整する。【選択図】図２
2009232063.tif 000002
【特許請求の範囲】
【請求項１】
オーディオ再生回路に供給される電源の電圧を平滑にするコンデンサに対して並列に設けられた可変抵抗器と、
前記電源の電源供給源の電圧に応じて、前記可変抵抗器の抵抗値を調整する抵抗値調整手段とを備えることを特徴とする音質調整装置。
【請求項２】
請求項１記載の音質調整装置であって、
前記抵抗値調整手段が、電子制御で前記可変抵抗器の抵抗値を調整することを特徴とする音質調整装置。
【請求項３】
請求項２記載の音質調整装置であって、
前記可変抵抗器の抵抗値の調整結果を格納する記憶手段を備えるとともに、
前記抵抗値調整手段が、さらに前記記憶手段に格納された調整結果に基づき、前記可変抵抗器の抵抗値を調整することを特徴とする音質調整装置。
【請求項４】
請求項２記載の音質調整装置であって、
前記可変抵抗器の抵抗値を調整するための操作手段をさらに備えるとともに、
前記抵抗値調整手段が、さらに前記操作手段に対して行われた操作に応じて前記可変抵抗器の抵抗値を調整することを特徴とする音質調整装置。
【請求項５】
請求項１から４いずれか１項記載の音質調整装置であって、
前記電源供給源が、車両が備えるバッテリであることを特徴とする音質調整装置。
【発明の詳細な説明】
【技術分野】
【０００１】
本発明はオーディオ再生機器等が備えるオーディオ再生回路の再生音の音質を調整する音質調整装置に関する。
【背景技術】
【０００２】
図２はオーディオ再生回路に供給される電源の電圧を平滑にする平滑回路を示す図である。オーディオ再生回路に供給される電源の電圧は例えば３．３Ｖであり、電圧を平滑するコンデンサ２Ｘには例えば電解コンデンサが用いられる。コンデンサ２には抵抗１Ｘが並列に設けられている。この抵抗１Ｘはオーディオ再生回路の再生音の音質を調整するための構成であり、抵抗１Ｘの抵抗値を変更することで音質を変化させることができる。具体的には抵抗値を下げると、音質の感覚として再生音の低域を絞める（タイトにする）ことができる。逆に抵抗値を上げると再生音の低域を緩めることができる。また抵抗値を調整することで、再生音の低域から高域までの聴感上のタイミングを調整することができる。
【０００３】
オーディオ再生機器の音質を調整する技術として、本発明と関連性があると考えられる技術が例えば特許文献１で提案されている。
【０００４】
【特許文献１】実公平０７−０５３２９６号公報
【発明の開示】
【発明が解決しようとする課題】
【０００５】
オーディオ再生機器は例えばカーオーディオとして車両に搭載される。そして車両に搭載したオーディオ再生機器では、電源供給源であるバッテリの電圧変動によって再生音の音質のディテールが変化してしまうことがしばしば発生する。この点、電圧が高くなるとレギュレータが制御過多状態となり、音質的には絞まり過ぎになる傾向にあることが経験的に知られている。またこの場合には、特に低域が絞まり過ぎた印象となる。一方、電圧が低くなると逆に音質的には緩い印象となる。すなわち電源供給源の電圧が変動すると、音質のディテールが変化してしまい、この結果、音質の悪化や不安定化を招くことになる。
【０００６】
また音質を調整するにあたっては、図１に示す抵抗１Ｘの抵抗値を変更する必要があるところ、図１に示すような構成では抵抗１Ｘの交換を要することから、オーディオ再生機器の構造が複雑になるにつれて、製造上の観点から作業効率が悪化しているという問題があった。
また図１に示すような構成では、数パターンの抵抗値を単純に切り替えて比較することができないため、製造時に音質の完成度を高めることが難しいという問題があった。
さらに図１に示すような構成では、エンドユーザが直接音質を調整することができないため、音質を個人の好みに合わせることができないという問題があった。
【０００７】
そこで本発明は上記の課題に鑑みてなされたものであり、電源供給源の電圧変動に応じて音質が変化することを抑制可能な音質調整装置を提供することを目的とする。また本発明は、さらに製造時に行われる音質調整作業の効率を高めることが可能な、または製造時に音質の完成度を高めることが可能な、またはエンドユーザが音質を調整することが可能な音質調整装置を提供することを目的とする。
【課題を解決するための手段】
【０００８】
上記課題を解決するために、本発明はオーディオ再生回路に供給される電源の電圧を平滑にするコンデンサに対して並列に設けられた可変抵抗器と、前記電源の電源供給源の電圧に応じて、前記可変抵抗器の抵抗値を調整する抵抗値調整手段とを備えることを特徴とする。
本発明によれば、電源供給源の電圧に応じて可変抵抗器の抵抗値を調整できるので、電源供給源の電圧変動に応じて音質が変化することを抑制できる。
【０００９】
また本発明は前記抵抗値調整手段が、電子制御で前記可変抵抗器の抵抗値を調整する構成であってもよい。
ここで抵抗値調整手段は例えば専用の回路等のハードウェアのみによって実現されてもよいところ、本発明によれば、製造時に音質調整を行う際に抵抗を交換することなく、抵抗値調整手段を利用して抵抗値を変更することも可能になる。このため本発明によれば、さらに製造時に行われる音質調整作業の効率を高めることもできる。
【００１０】
また本発明は前記可変抵抗器の抵抗値の調整結果を格納する記憶手段をさらに備えるとともに、前記抵抗値調整手段が、さらに前記記憶手段に格納された調整結果に基づいて、前記可変抵抗器の抵抗値を調整する構成であってもよい。
本発明によれば、音質調整中に仮の調整結果を数パターン、記憶手段に格納することで、数パターンの抵抗値を切り替えて比較することが可能になるため、さらに製造時に音質の完成度を高めることができる。
【００１１】
また本発明は前記可変抵抗器の抵抗値を調整するための操作手段をさらに備えるとともに、前記抵抗値調整手段が、さらに前記操作手段に対して行われた操作に応じて前記可変抵抗器の抵抗値を調整する構成であってもよい。
本発明によれば、操作手段を操作することによりさらにエンドユーザが音質を調整することが可能になる。
また例えばこのような操作手段により、抵抗値調整手段を利用して抵抗値を変更することができ、これにより製造時に行われる音質調整作業の効率を高めることもできる。
【００１２】
また本発明は前記電源供給源が、車両が備えるバッテリである構成であってもよい。
すなわち本発明は具体的には例えば電圧変動が発生し易い車両のバッテリが電源供給源である場合に好適なものである。
【発明の効果】
【００１３】
本発明によれば、電源供給源の電圧変動に応じて音質が変化することを抑制可能な音質調整装置を提供できる。また本発明によれば、さらに製造時に行われる音質調整作業の効率を高めることが可能な、または製造時に音質の完成度を高めることが可能な、またはエンドユーザが音質を調整することが可能な音質調整装置を提供できる。
【発明を実施するための最良の形態】
【００１４】
以下、本発明を実施するための最良の形態を図面と共に詳細に説明する。
【００１５】
図２は本実施例に係る音質調整装置１００の構成を模式的に示す図である。音質調整装置１００はオーディオ再生回路を備える車載オーディオ機器（図示省略）に組み込まれている。音質調整装置１００は抵抗１、制御回路３、およびＥＥＰＲＯＭ（請求項記載の記憶手段に相当）５を備えるＩＣ１０と、マイコン２０と、インターフェイス３０と、ＡＤ変換器４０とを有して構成されている。抵抗１は可変抵抗器であり、オーディオ再生回路に供給される電源の電圧Ｖｒ（例えば３．３Ｖ）を平滑するコンデンサ２に対して並列に設けられている。またこの抵抗１はさらに具体的にはデジタル半固定ボリュームであり、抵抗器を３ＣＨ分備えている。したがって抵抗１で同時に３つのオーディオ再生回路の電源に対応することもできる。
【００１６】
制御回路３はＩ２Ｃバスで接続されたマイコン２０の制御のもと、抵抗１の抵抗値を変更する。制御回路３にはＥＥＰＲＯＭ５が接続されており、ＥＥＰＲＯＭ５には、抵抗１の抵抗値の調整結果がプリセット値として格納されている。プリセット値は製造時に音質調整を行った際の調整結果である。マイコン２０はＣＰＵ、ＲＯＭ、ＲＡＭ等（図示省略）を有して構成されている。マイコン２０はＲＯＭに格納されたプログラムに基づき、ＣＰＵが処理を実行することで制御回路３を制御し、これにより抵抗１の抵抗値を変更する。すなわちマイコン２０は電子制御で抵抗１の抵抗値を変更するための構成として機能する。
【００１７】
マイコン２０にはインターフェイス３０が接続されている。インターフェイス３０は各種の操作を行うための構成であり、操作に応じた入力をマイコン２０に対して行う。インターフェイス３０は、具体的には例えば釦や操作ノブやタッチパネルやこれらの組み合わせなどで実現されてよく、また表示部を含んでもよい。抵抗１の抵抗値を調整するための操作手段（ここでは操作ノブ）はインターフェイス３０の一部によって実現されている。このほかインターフェイス３０では、音質調整の調整結果をＥＥＰＲＯＭ５に格納するための操作手段や、ＥＥＰＲＯＭ５に格納された調整結果を選択するための操作手段などが実現される。
【００１８】
これに対してマイコン２０は、ＲＯＭに格納されたプログラムに基づき、ＣＰＵが処理を実行することで、インターフェイス３０（より具体的には調整結果をＥＥＰＲＯＭ５に格納するための操作手段）に対して行われた操作に応じて、調整結果をＥＥＰＲＯＭ５に格納するように構成されている。
これにより、製造時の音質調整中に仮の調整結果を数パターン、ＥＥＰＲＯＭ５に格納することができる。またこれにより後述するようにエンドユーザが行った音質調整の調整結果をＥＥＰＲＯＭ５に格納することもできる。
【００１９】
またマイコン２０は、ＲＯＭに格納されたプログラムに基づき、ＣＰＵが処理を実行することで、インターフェイス３０に対して行われた操作に応じて、抵抗１の抵抗値を変更するように構成されている。
【００２０】
この点、マイコン２０はさらに具体的には例えばＥＥＰＲＯＭ５に格納された調整結果を選択する操作がインターフェイス３０に対して行われた場合に、この操作に応じて選択された調整結果に基づき、抵抗１の抵抗値を変更するように制御回路３を制御することで、抵抗１の抵抗値を変更する。
これにより、音質調整中に仮の調整結果を数パターン、ＥＥＰＲＯＭ５に格納することで、数パターンの抵抗値を切り替えて比較することが可能になるため、さらに製造時に音質の完成度を高めることができる。
またこれにより、後述するようにエンドユーザが自ら行った音質調整の調整結果とプリセット値とを切り替えることが可能になるため、エンドユーザが音質を好みの音質に素早く変更することも可能になる。
【００２１】
また、マイコン２０はさらに具体的には例えば抵抗１の抵抗値を調整するための操作ノブに対して行われた操作に応じて、抵抗１の抵抗値を変更するように制御回路３を制御することで、抵抗１の抵抗値を変更する。
これにより、エンドユーザが音質を調整することが可能になる。またこのような音質の調整は、車室音場の調整にあっては、ＤＳＰによる音質調整に加えて行うことができるため、音質調整の幅を広げることができ、以って音質に対するユーザのニーズに好適に応えることもできる。
またこれにより、抵抗器を交換することなく抵抗値を変更することができ、以って短時間で音質調整が可能になるなど、製造時に行われる音質調整作業の効率を高めることもできる。
【００２２】
オーディオ再生回路に供給される電源は、図示しないバッテリを電源供給源としている。バッテリ電圧Ｂ（例えば１２Ｖ）はコンデンサ７によって平滑される。マイコン２０はＡＤ変換器４０を介してバッテリ電圧Ｂを検出する。そしてマイコン２０は、さらにＲＯＭに格納されたプログラムに基づき、ＣＰＵが処理を実行することで、検出したバッテリ電圧Ｂに応じて、抵抗１の抵抗値を変更するように構成されている。
【００２３】
この点、マイコン２０は本実施例ではさらに具体的にはバッテリ電圧Ｂが所定値よりも低下した場合には、抵抗１の抵抗値を高く設定するように制御回路３を制御するように構成されている。一方、バッテリ電圧Ｂが所定値以上になった場合には、抵抗１の抵抗値を低く設定するように制御回路３を制御するように構成されている。
これによりバッテリ電圧Ｂの電圧変動があった場合でも、音質が自動的に調整され、バッテリ電圧Ｂの電圧変動に応じて音質が変化することが抑制される。本実施例ではマイコン２０で請求項記載の抵抗値調整手段が実現されている。
【００２４】
なお、これに限られず、バッテリ電圧Ｂに応じて抵抗１の抵抗値を変更することには、例えばバッテリ電圧Ｂが低くなるほど、抵抗１の抵抗値を高く設定することなども含まれる。
このように音質調整装置１００によれば、バッテリ電圧Ｂの変動に応じて音質が変化することを抑制することができる。また音質調整装置１００によれば、さらに製造時に行われる音質調整作業の効率を高めること、製造時に音質の完成度を高めること、およびエンドユーザが音質を調整することもできる。
【００２５】
上述した実施例は本発明の好適な実施の例である。但し、これに限定されるものではなく、本発明の要旨を逸脱しない範囲内において種々変形実施可能である。
【図面の簡単な説明】
【００２６】
【図１】オーディオ再生回路に供給される電源の電圧を平滑にする平滑回路を示す図である。
【図２】本発明の一実施例による音質調整装置の構成を模式的に示す図である。
【符号の説明】
【００２７】
１  抵抗
２  コンデンサ
３  制御回路
５  ＥＥＰＲＯＭ
７  コンデンサ
１０  ＩＣ
２０  マイコン
３０  インターフェイス
４０  ＡＤ変換器
【図１】
2009232063.tif 000003
【図２】
2009232063.tif 000004